(57)【特許請求の範囲】
【請求項１】
電子部品を実装した回路基板と、
前記回路基板を収容する収容体と、
前記収容体を閉止する閉止体と、
前記閉止体に対して形成され、収容ボックスに設けられた待ち受けコネクタを下方から嵌合させるコネクタ部とを備え、前記収容ボックスに対して前記コネクタ部の嵌合面を下に向けて縦向きに挿入される電気接続箱であって、
前記収容ボックスに形成された案内溝との嵌合作用により前記収容ボックスに対する電気接続箱の挿入を案内する案内部と、
前記案内溝と前記案内部の嵌合後において、前記収容ボックスの内壁の一部に当接することにより前記電気接続箱の倒れを矯正する矯正部と、を備えてなることを特徴とする電気接続箱。
【請求項２】
前記閉止体を前記収容体に対して振動溶着することにより両者の合わせ面を全周に渡って封止した構成であるものにおいて、
前記案内部と前記矯正部の双方を前記閉止体に形成したことを特徴とする請求項１に記載の電気接続箱。
【請求項３】
前記案内部は前記閉止体の外周縁部を幅方向外側に延長して形成したものであることを特徴とする請求項２に記載の電気接続箱。
【請求項４】
前記矯正部は、前記コネクタ部の下方において前記コネクタ部と上下に並んで形成され、前記待ち受けコネクタの外面壁に当接する当たり面を有する台状をなすと共に、前記各当たり面は各コネクタ部のフード部の内壁に連なっていることを特徴とする請求項２に記載の電気接続箱。
【発明の詳細な説明】
【技術分野】
【０００１】
本発明は、電気接続箱に関する。
【背景技術】
【０００２】
従来より、回路基板を箱型のケーシングに収容させた電気接続箱が知られている（下記特許文献１参照）。この電気接続箱は、車両に搭載されてランプ、オーディオ機器等の車載電装品の通電又は断電を実行するものであり、エンジンルーム内のリレーボックスに収容される構成となっている。また、この電気接続箱には、相手側コネクタを嵌合させるコネクタブロックが開口面を下に向けて形成されている。
【先行技術文献】
【特許文献】
【０００３】
【特許文献１】特開２００９−２９１０４３号公報
【発明の概要】
【発明が解決しようとする課題】
【０００４】
ところで、電気接続箱に設けられたコネクタブロックの嵌合相手が、待ち受けコネクタ（リレーボックスに固定されたコネクタ）である場合には、リレーボックスに対する電気接続箱の挿入動作を利用してコネクタブロックを待ち受けコネクタに嵌合させる構成となる。
【０００５】
一方、リレーボックスに対する電気接続箱の挿入性を高めるには、両者間に遊びを持たせることが望ましい。しかし、そうした遊びを設けると、上記のように相手側コネクタが待ち受けコネクタである場合には、遊びの分だけ電気接続箱が傾いて、待ち受けコネクタに電気接続箱のコネクタが嵌合しない恐れがあった。こうした場合、作業者は、組み付けをやり直す必要があり手間がかかる。
【０００６】
本発明は、上記事情に鑑みて創作されたものであって、リレーボックスなどの収容ボックスに対する電気接続箱の円滑な挿入性とコネクタの嵌合性を両立させることを目的とするものである。
【課題を解決するための手段】
【０００７】
本発明は、電子部品を実装した回路基板と、前記回路基板を収容する収容体と、前記収容体を閉止する閉止体と、前記閉止体に対して形成され、収容ボックスに設けられた待ち受けコネクタを下方から嵌合させるコネクタ部とを備え、前記収容ボックスに対して前記コネクタ部の嵌合面を下に向けて縦向きに挿入される電気接続箱であって、前記収容ボックスに形成された案内溝との嵌合作用により前記収容ボックスに対する電気接続箱の挿入を案内する案内部と、前記案内溝と前記案内部の嵌合後において、前記収容ボックスの内壁の一部に当接することにより前記電気接続箱の倒れを矯正する矯正部と、を備えてなる。
【０００８】
このようにしておけば、収容ボックスに対する電気接続箱の挿入を案内部によって案内できる。また、矯正部の作用により、案内部の嵌合後において電気接続箱の傾きを矯正できる。そのため、待ち受けコネクタに対してコネクタ部をスムーズに嵌合させることが可能である。
【０００９】
この発明の実施態様として、以下の構成とすることが好ましい。
前記閉止体を前記収容体に対して振動溶着することにより両者の合わせ面を全周に渡って封止した構成であるものにおいて、前記案内部と前記矯正部の双方を前記閉止体に形成する構成とする。このようにしておけば、以下の効果を奏することが可能である。振動溶着は部品の一部を溶かして行うので、溶接された２部品の寸法精度を出すことは通常困難である。もし、仮に、案内部と矯正部を、振動溶着される２部品（閉止体と収容体）に分けて配置すると、案内部と矯正部との寸法誤差が大きくなる。この点、案内部と矯正部の双方を閉止体に形成する構成としておけば、案内部と矯正部の寸法誤差を小さくすることが可能となり、収容ボックスに対する電気接続箱の円滑な挿入性とコネクタの嵌合性を、確実に両立させることが可能となる。
【００１０】
・前記案内部は前記閉止体の外周縁部を幅方向外側に延長して形成したものである。このような構成であれば、案内部をそれ専用に設ける必要がない。
【００１１】
・前記矯正部は、前記コネクタ部の下方において前記コネクタ部と上下に並んで形成され、前記待ち受けコネクタの外面壁に当接する当たり面を有する台状をなすと共に、前記各当たり面は各コネクタ部のフード部に連なっている。
【発明の効果】
【００１２】
本発明によれば、収容ボックスに対する電気接続箱の円滑な挿入性とコネクタの嵌合性を両立させることが可能となる。
【図面の簡単な説明】
【００１３】
【図１】本発明の一実施形態に適用された電気接続箱を収容ボックスに対する挿入する過程を示す斜視図
【００１４】
【図２】収容ボックスに電気接続箱を収容させた状態を示す斜視図
【図３】収容ボックスの斜視図
【図４】収容ボックスに形成された収容室の平面図
【図５】収容室の断面図（図４中のＡ−Ａ線断面図）
【図６】電気接続箱の分解斜視図
【図７】電気接続箱の斜視図（立てた状態を示す）
【図８】電気接続箱を正面側（前側）から見た図
【図９】電気接続箱の平面図
【図１０】図９の一部を拡大した図
【図１１】電気接続箱を背面側（後側）から見た図
【図１２】電気接続箱を下側から見た図
【図１３】図８中のＢ−Ｂ線断面図
【図１４】図８中のＣ−Ｃ線断面図
【図１５】電気接続箱に相手コネクタを組み付けた状態を示す斜視図
【図１６】収容室を上側から見た図（電気接続箱の収容状態を示す）
【図１７】収容室に対する電気接続箱の挿入過程を示す断面図（挿入初期を示す）
【図１８】収容室に対する電気接続箱の挿入過程を示す断面図（矯正部の前面壁が待ち受けコネクタに当接した状態を示す）
【図１９】収容室に対する電気接続箱の挿入過程を示す断面図（挿入終期を示す）
【図２０】収容室に対する電気接続箱の挿入過程を示す断面図（コネクタ嵌合位置を示す）
【発明を実施するための形態】
【００１５】
本発明の一実施形態を図１ないし図２０を参照して説明する。本発明の電気接続箱１０は、収容ボックス２００に設けられた収容室２５０に縦向きに収容されるようになっている（図１〜図２）。
【００１６】
１．電気接続箱１０の取付先である収容ボックスの構成
収容ボックス２００は、バッテリー等の電源（図示せず）とヘッドランプ、ワイパー等の車載電装品（図示せず）との間に接続され、収容されたリレー（図示せず）及び電気接続箱１０によって、各種車載電装品の通電及び断電を行うものである。このような収容ボックス２００は、いわゆるリレーボックスと称されることがある。
【００１７】
収容ボックス２００は合成樹脂製であって、図３に示すように上面が開放口として開放する有底筒状をしている。また、収容ボックス２００は、底壁がロアカバー２８０として分割されている。すなわち、ロアカバー２８０は、収容ボックス２００の底壁を構成しており、収容ボックス２００に対して下方から取り付けられている。そして、ロアカバー２８０には、ハーネスを引き出すための引き出し口２９０や、排水口が設けられている。
【００１８】
収容ボックス２００の内部は仕切り壁によって複数個の収容室に区画されており、そのうちの一つ（この例では、図中の右手前側に位置する収容室２５０）が、電気接続箱１０の格納用として割り当てられている。
【００１９】
図４に示すように、収容室２５０は幅方向に長い横長な形状をしている。収容室２５０は、電気接続箱１０の大きさより一回り大きな形状となっているおり、電気接続箱１０を縦向きに収容する。そして、収容室２５０のうち、図４の下側にあたる内壁面２５１には、４つの待ち受けコネクタ３１５、３２５、３３５、３４５が設けられている。
【００２０】
具体的に説明すると、待ち受けコネクタ３１５は内壁面２５１の左隅側に設けられているのに対して、待ち受けコネクタ３２５〜３４５はいずれも内壁面２５１の右側において横並び状に連続して形成されている。これら待ち受けコネクタ３１５、３２５、３３５、３４５はいずれも嵌合面を上に向けて形成されており（図５参照）、収容室２５０に対する電気接続箱１０の収容（挿入）に伴って、電気接続箱１０側に形成されたコネクタ部１１５、１２５、１３５、１４５と嵌合する構成となっている。
【００２１】
そして、待ち受けコネクタ３１５の外面壁３１５ａは平坦な平面となっている。また、待ち受けコネクタ３２５〜３４５側も外面壁３２５ａは平坦な平面となっている。これら外面壁３１５ａ、３２５ａは、電気接続箱１０側に形成された当て面５５ａ、５４ａに対する受け面となっている（詳細な後に説明する）。
【００２２】
また、収容室２５０のうち幅方向の両側にあたる左右内壁２５４、２５５には、案内溝２６１Ｒ、２６１Ｌが向い合うように形成されている。案内溝２６１Ｒ、２６１Ｌは各内壁２５４、２５５の壁面を凹設して形成したものであり、収容室２５０に対する電気接続箱１０の差し込み方向（すなわち、上下方向）に形成されている。具体的には、内壁２５４、２５５の上端を始端として収容室２５０の底に向かって真っすぐに延びている（図５参照）。
【００２３】
これら２つの案内溝２６１Ｒ、２６１Ｌには、収容室２５０に対する電気接続箱１０の挿入動作の初期動作の段階で、電気接続箱１０に形成された案内部（具体的には、閉止体５１の外周縁部６１Ｒ、６１Ｌ）が嵌合する構成となっている。尚、案内溝２６１Ｒ、２６１Ｌと案内部（具体的には、閉止体５１の外周縁部６１Ｒ、６１Ｌ）との間の遊びは、やや大きめに設定されている。
【００２４】
また、各内壁２５４、２５５には、一対の受け入れ溝２６７ａ、２６７ｂと、両溝間に位置してロック受け部２６６が形成されている。受け入れ溝２６７ａ、２６７ｂは、電気接続箱１０に形成された挿通片１０７ａ、１０７ｂに対応するものであり、係る挿通片１０７ａ、１０７ｂを上方から受け入れ可能としている。
【００２５】
これら一対の受け入れ溝２６７ａ、２６７ｂは高さ方向において、収容室２５０の中間あたり（概ね、待ち受けコネクタ３２５〜３４５の形成されている高さ位置あたり）に形成されており、収容室２５０に対する電気接続箱１０の挿入動作の最終動作の段階で、挿通片１０７ａ、１０７ｂが嵌合する構成となっている。
【００２６】
これら受け入れ溝２６７ａ、２６７ｂと挿通片１０７ａ、１０７ｂは遊びが小さく設定してあり、電気接続箱１０をシビアに位置決めする。そして、電気接続箱１０がロック位置に到ると、収容室２５０側のロック受け部２６６に電気接続箱１０のロック部１０６が係止することで、電気接続箱１０が収容室２５０にロックされる構成となっている。
【００２７】
２．電気接続箱１０の構造説明
電気接続箱１０は、図６に示すように回路基板２０と回路ケーシング３０とから構成されている。回路基板２０はプリント配線技術により図示しない導電路を形成してなる長方形型のプリント基板上に、半導体リレーなどの電子部品Ｚを実装したものである。尚、この回路基板２０は、電子部品実装後に、防湿性の絶縁コーティング（液状の樹脂をスプレー等により塗布して薄膜を形成）を施してあり、結露などにより、回路基板２０に水滴が付着しても、電気的性能に影響を与えることがないようになっている。
【００２８】
回路ケーシング３０は、上記回路基板２０を内部に収容させるものであり、収容体３１と閉止体５１とから構成されている。収容体３１は、合成樹脂製（例えば、ポリブチレンテレフタレートやポリプロピレンなどの熱可塑性樹脂）であって、板状の底板３２と、この底板３２の周縁に沿って立設される周壁４１とから構成され、全体としては底の浅い箱型（トレイ型）をしている。収容体３１の底板３２は、回路基板２０より一回り大きな形状になっている。この底板３２は下端中央が下方に突き出ており、全体としては５角形状をしている。
【００２９】
周壁４１は底板３２の全周に亘って形成され、壁先端にはフランジ４２を設けている。フランジ４２は、外向きに張り出しており、周壁４１の全周に亘って形成されている。また、フランジ４２上には突条部４３が一体的に形成されている。突条部４３は、周壁４１の全周に亘って切れ目なく連続して形成されており環状をなす。上記周壁４１は回路基板外周の四方を覆う側壁として機能する。
【００３０】
そして、収容体３１は下部がながらかに形成するＶ字形状をした５角形をしており、Ｖ字の頂点の位置には、収容体３１の底板３２を貫通して通気孔３７が形成されている。また、収容体３１の底板３２の外面側には、案内斜面３４が形成されている（図１１参照）。案内斜面３４は、底板３２の外周縁に沿って間欠的に形成されている。この案内斜面３４は、電気接続箱１０を振動溶着装置のアタッチメント（装着器具、不図示）にセットするための誘いである。
【００３１】
図６に戻って説明を続けると、閉止体５１は合成樹脂製（例えば、ポリブチレンテレフタレートやポリプロピレンなどの熱可塑性樹脂）であって、収容体３１の開口面を閉止可能な５角形状の板状をしている。この閉止体５１の内、収容体３１の底板３２に相対する内面側には、ねじ孔を形成してなる支持ボス５９が幅方向の両側に２箇所設けられており、そこに、回路基板２０を螺子止めできるようになっている。
【００３２】
そして、閉止体５１は収容体３１より一回り大きな形状となっており、収容体３１に組み付けると、閉止体５１の外周縁部６１が収容体３１の突条部４３の先端に重なって、収容体３１の開口面を閉止する構成となっている。尚、閉止体５１の内面には位置決め壁５６が形成してある。この位置決め壁５６は、閉止体を収容体３１に対して面方向に位置規制するものであり、収容体３１に形成された突条部４３の内側に位置する構成となっている。
【００３３】
そして、閉止体５１は、収容体３１に形成された突条部４３に振動溶着されており、収容体３１と閉止体５１の合わせ面Ｆは密閉された構造となっている。このものでは、接合縁となる突条部４３を、収容体３１の全周に亘って切れ目なく形成してあることから、収容体３１と閉止体５１の合わせ面Ｆは、全周に亘って完全に密閉された構造となっている。尚、突条部４３の先端は、振動溶接時に溶け易いようにテーパ状に形成されている。
【００３４】
また、この実施形態では、収容室２５０に形成された案内溝２６１Ｒ、２６１Ｌに嵌合する案内部を、閉止体５１の外周縁部６１を利用して形成している。具体的に説明すると、閉止体５１のうち左右の外周縁部６１Ｒ、６１Ｌは、収容体３１の外形線Ｋを超えて幅方向外側に延長してあり、図９、図１０に示すように収容体３１の外側（図１０では左側）に張り出している。
【００３５】
これら各外周縁部６１Ｒ、６１Ｌは、図１１に示すように電気接続箱１０の全高に相当する全範囲（図１１中の範囲Ｈ）に渡って、収容体３１の外側に張り出しており、収容室２５０に形成された案内溝２６１Ｒ、２６１Ｌに一定の遊び（クリアランス）をもって、嵌合するようになっている。
【００３６】
尚、この実施形態では、閉止体５１の外周縁部６１のうち、６１Ｒ、６１Ｌ以外の外周縁部６１Ａ、６１Ｂについても収容体３１から外方に突出させている。すなわち、上側の外周縁部６１Ａであれば、収容体３１から上側に突出しており、下側の外周縁部６１Ｂであれば、収容体３１から下側に突出している。
【００３７】
次に、上記閉止体５１の表面上部には全幅に亘る横長形状のコネクタブロック１００が一体的に形成されている。コネクタブロック１００は、フード部１１５〜１６５を幅方向に６つ並んで設けており（図６、図１２参照）、６つのコネクタ部１１０〜１６０を構成している。これら各６つのコネクタ部１１０〜１６０のフード部１１５〜１６５は、いずれも、相手側コネクタを嵌合させる嵌合口を、図７の下側（電気接続箱１０を車両へ搭載した際の下側）に設けており、相手側コネクタが下側から嵌合されるようになっている。
【００３８】
上記コネクタブロック１００には、各フード部１１５〜１６５に対応させてバスバーＢがインサート成形してある。各バスバーＢはいずれも金属板をＬ字型に屈曲させたものであり、図１３にて示すように、一端を対応する各フード部１１５〜１６５内に突出させている。また、各バスバーＢの他端側はいずれも、回路基板２０側に引き出されており、回路基板２０のスルーホールＳＨに挿通される構成となっている。
【００３９】
また、上記した６つのコネクタ部１１０〜１６０のうち、図１２に示す左端のコネクタ部１１０と、図１２に示す右端から３つのコネクタ部１２０〜１４０のコネクタ部は、嵌合相手が収容室２５０に形成された待ち受けコネクタ３１５、３２５〜３４５となっている。すなわち、コネクタ部１１０の嵌合相手は待ち受けコネクタ３１５であり、コネクタ部１２０の嵌合相手は待ち受けコネクタ３２５であり、コネクタ部１３０の嵌合相手は待ち受けコネクタ３３５であり、コネクタ部１４０の嵌合相手は待ち受けコネクタ３４５である。
【００４０】
そして、閉止体５１の表面側には、これら各コネクタ部１１０、１２０〜１４０（相手が待ち受けコネクタであるコネクタ部）に対応して矯正部５５、５４が形成されている。具体的に説明すると、図６〜図８、図１２に示すようにコネクタ部１１０に対応して矯正部５５が形成されている。矯正部５５は、コネクタ部１１０の下側に形成され縦方向（上下方向）に長い台状をしている。矯正部５５の横幅はコネクタ部１１０の横幅とほぼ同幅であり、下端は閉止体５１の下部に達している。
【００４１】
また、コネクタ部１２０〜１４０に対応して矯正部５４が形成されている。矯正部５４は、コネクタ部１２０〜１４０の下側に形成されていて縦方向（上下方向）に長い台状をしている。矯正部５４の横幅はコネクタ部１２０〜１４０の３つのコネクタ部を合わた全横幅とほぼ同幅であり、下端は閉止体５１の下部に達している。
【００４２】
これら矯正部５５の前面壁５５ａと矯正部５４の前面壁５４ａはいずれも平坦な当て面となっており、収容室２５０に対する挿入過程で電気接続箱１０の倒れを矯正する機能を果たす。詳しく説明すると、案内溝２６１Ｒ、２６１Ｌと外周縁部６１Ｒ、６１Ｌとの間には遊びがあるので、両者が嵌合していても、電気接続箱１０は、図７中のＲ方向（前後方向）やＱ方向（左右方向）に倒れてしまう。
【００４３】
そこで、本実施形態では、上記の矯正部５５を設けて、その前面壁５５ａを待ち受けコネクタ３１５の外面壁３１５ａに突き当てる構成とし、また、矯正部５４を設けて、その前面壁５４ａを待ち受けコネクタ３２５〜３４５の外面壁３２５ａに突き当てる構成とした。このように壁面（平面）同士を当て合うことで、倒れを矯正することができ、電気接続箱１０を直立姿勢に出来る。そして、これら矯正部５４、５５は、電気接続箱１０の幅方向の両側に形成してあるから、電気接続箱１０の左右両側の倒れを均等に矯正することができる構成となっている。
【００４４】
また、矯正部５４と矯正部５５は閉止体５１の表面を台状に膨出させたものであり、図１４に示すように、前面壁５４ａはフード部１２５〜１４５の内壁１２５ａ〜１４５ａに対して小段差ｄを介して連続し、前面壁５５ａはフード部１１５の内壁１１５ａに対して小段差ｄを介して連続している。
【００４５】
このように、各矯正部５４、５５の前面壁５４ａ、５５ａは各コネクタ部１１０、１２０〜１４０のフード部１１５、１２５〜１４５に概ね連続しているから、電気接続箱１０の姿勢矯正と共に各コネクタ部１１０、１２０〜１４０をそれに対応する各待ち受けコネクタ３１５、３２５〜３４５に対して正対させることが可能となっている。
【００４６】
図７に戻って説明を続けると、上記コネクタブロック１００の幅方向の両側に位置する側面壁１０４、１０５には、ロック部１０６と一対の挿通片１０７ａ、１０７ｂがそれぞれ形成されている。ロック部１０６は、収容ボックス２００に設けられた収容室２５０のロック受け部２６６に係止して、電気接続箱１０を収容室２５０にロックする機能を果たすものである。
【００４７】
一対の挿通片１０７ａ、１０７ｂは、ロック部１０６の両側にあって下向きに直線的に延びている。これら両挿通片１０７ａ、１０７ｂは、収容室２５０に形成された受け入れ溝２６７ａ、２６７ｂに各々挿通される構成となっており、受け入れ溝２６７ａ、２６７ｂと共に収容室２５０に対する電気接続箱１０の差し込み操作を案内する機能を担っている。
【００４８】
また、図９に示すように、コネクタブロック１００の上面壁１０１であって幅方向の中央部には、すり鉢状に窪んだ凹部１８１が形成されており、そこを上下に貫通して検査端子１８３が取り付けられている。検査端子１８３は、回路基板２０の機能検査を行う端子であり、コネクタブロック１００にインサート成形されている。
【００４９】
また、コネクタブロック１００の上面壁１０１のうち凹部１８１の周囲には第一排水斜面１９０が形成されている。第一排水斜面１９０は、水滴が検査端子１８３が設けられた凹部１８１側に伝わらないようにするためのものある。この実施例では、第一排水斜面１９０は高低差の異なる３つの斜面１９０ａ、１９０ｂ、１９０ｃから構成されており、第一排水斜面１９０に落ち込んだ水滴は、高い側の斜面から低い側の斜面に流れ落ちて最終的には、コネクタブロック１００の側面壁１０４側に排水される構成となっている。
【００５０】
また、コネクタブロック１００の上面壁１０１には、前記した第一排水斜面１９０と並んで第二排水斜面１９５が形成されている。第二排水斜面１９５は、図９に示すように、凹部１８１を始端としてコネクタブロック１００の幅方向の端（図９では右端）に向かって下降傾斜しつつ延びている。そして、第二排水斜面１９５はコネクタブロック１００の側面壁（幅方向右側の側面壁１０４）に達しており、仮に凹部１８１内に水滴が入り込んだとしても、その水滴を側面壁１０４へ排水させるようになっている。
【００５１】
３．収容ボックス２００に対する電気接続箱１０の組み付け手順
電気接続箱１０を、収容ボックス２００に対して組み付けるには、図１５に示すように、コネクタブロック１００のうち、中央左側に位置するコネクタ部１５０とコネクタ部１６０に対して相手コネクタ３５０、３６０をまず嵌合させる。
【００５２】
次に、収容室２５０の上に電気接続箱１０を移動させながら、案内溝２６１Ｒ、２６１Ｌに電気接続箱１０側の外周縁部６１Ｒ、６１Ｌが嵌合するように位置を合わせする。案内溝２６１Ｒ、２６１Ｌと外周縁部６１Ｒ、６１Ｌは、遊びが比較的大きくなっているので、大まかに位置合わせさえすれば、案内溝２６１Ｒ、２６１Ｌに対して外周縁部６１Ｒ、６１Ｌを、比較的簡単に嵌合できる。
【００５３】
そして、案内溝２６１Ｒ、２６１Ｌに外周縁部６１Ｒ、６１Ｌをそれぞれ嵌合させることが出来たら、あとは、電気接続箱１０を収容室２５０の奥側に向けて差し込んでやる。すると、電気接続箱１０は、それらの嵌合作用により、概ね上下を向いた姿勢を維持しながら差し込まれてゆく。尚、案内溝２６１Ｒ、２６１Ｌと外周縁部６１Ｒ、６１Ｌは、先に説明したように遊びが大きいのいで、両者が嵌合していても、挿入作業中、電気接続箱１０には、遊び相当の倒れが生じることがある。
【００５４】
さて、図１７に示すように、電気接続箱１０をある程度の深さまで差し込むことが出来たら、今度は、挿入しつつある電気接続箱１０を、収容室２５０の内側（図１７の右側）に向かって、軽く押し当てる操作を行う。
【００５５】
この押し当て操作を行うと、図１８に示すように、矯正部５５の前面壁５５ａが待ち受けコネクタ３１５の外面壁３１５ａに突き当り、また、矯正部５４の前面壁５４ａが待ち受けコネクタ３２５〜３４５の外面壁３２５ａに突き当る。その結果、上記した遊び分の倒れを矯正することが可能となり、電気接続箱１０の姿勢は、倒れない直立姿勢となる。そして、この時点で、電気接続箱１０の各コネクタ部１１０、１２０〜１４０は、収容室２５０の各待ち受けコネクタ３１５、３２５〜３４５に対してその正面に位置する状態となる。
【００５６】
あとは、矯正部５５、５４の前面壁５５ａ、５４ａを待ち受けコネクタ３１５、３２５〜３４５の外面壁３１５ａ、３２５ａに押し当てながら、電気接続箱１０を収容室２５０の奥側に更に差し込んでやればよい。すると、電気接続箱１０の各コネクタ部１１０、１２０〜１４０に対して収容室２５０側の待ち受けコネクタ３１５、３２５〜３４５がそれぞれ差し込まれると共に、収容室２５０に形成された各受け入れ溝２６７ａ、２６７ｂに電気接続箱１０の各挿通片１０７ａ、１０７ｂがそれぞれ嵌合する。尚、差し込みの際には、小段差ｄを乗り越える必要があるが、待ち受けコネクタ３１５、３２５〜３４５の先端には、誘い用のテ―パが設けてあるので、小段差ｄが差し込み（コネクタ嵌合）の支障になることはない。
【００５７】
そして、受け入れ溝２６７ａ、２６７ｂに対して挿通片１０７ａ、１０７ｂが嵌合すると、両者の嵌合作用により、電気接続箱１０は遊びの無い状態に位置規制される。その後、電気接続箱１０は、図２０に示すコネクタ嵌合位置に至る。このコネクタ嵌合位置では、収容室２５０に形成された各待ち受けコネクタ３１５、３２５〜３４５が、電気接続箱１０の各コネクタ部１１０、１２０〜１４０に正規嵌合し、両コネクタの端子が電気的に接続された状態になる。
【００５８】
また、図２０に示すコネクタ嵌合位置は、電気接続箱１０のロック位置となっており、電気接続箱のロック部１０６が収容室２５０に形成されたロック受け部２６６にそれぞれ係止する。これにより、電気接続箱１０は収容室２５０に対して抜け止めされる。
【００５９】
続いて、本実施形態の作用、効果について説明する。本実施形態では、収容室２５０に形成した案内溝２６１Ｒ、２６１Ｌと閉止体５１の外周縁部６１Ｒ、６１Ｌとの嵌合作用により、電気接続箱１０を概ね上下を向いた姿勢に規制することが可能である。そのため、挿入作業中、電気接続箱１０が大きく傾くことがなく、収容室２５０に対する電気接続箱１０の挿入作業を円滑に行うことが出来る。しかも、案内溝２６１と外周縁部６１との間には、やや大きめの遊びを設けてあるので、初期嵌合を簡単に行うことが可能であり、この点も挿入作業を円滑に行う上で極めて効果的である。
【００６０】
その一方、案内溝２６１Ｒ、２６１Ｌと外周縁部６１Ｒ、６１Ｌとの間に遊びを持たせると、それにより電気接続箱１０に倒れが起きる。しかし、そうした電気接続箱１０の倒れを矯正部５４、５５により矯正できる。そのため、収容室２５０に形成された各待ち受けコネクタ３１５、３２５〜３４５と電気接続箱１０の各コネクタ部１１０、１２０〜１４０の位置ズレを抑えることが可能となり、嵌合不良を起こすことがない。以上のことから、収容室２５０に対する電気接続箱１０の円滑な挿入性とコネクタの嵌合性を両立させることが可能となる。
【００６１】
また特に、矯正部５５、５４は各コネクタ部１１０、１２０〜１４０と上下に並んでいて、しかも、それらの前面壁５５ａ、５４ａは各フード部１１５、１２５〜１４５に連続している。そのため、矯正部５５、５４の前面壁５５ａ、５４ａを待ち受けコネクタ３１５、３２５〜３４５の外面壁３１５ａ、３２５ａに当ててやれば、自ずと、各待ち受けコネクタ３１５、３２５〜３４５の正面に各フード部１１５、１２５〜１４５が位置する配置になる。従って、両者を無理なく、確実に嵌合させることが可能である。
【００６２】
また、電気接続箱１０は、収容体３１と閉止体５１の合わせ面Ｆを全周に渡って振動溶着させており、気密性を極めて高くできる。しかし、そうした反面、溶接された２部品の寸法精度を出すことは困難である。もし、仮に、案内部である外周縁部６１Ｒ、６１Ｌと矯正部５５、５４を、振動溶着される２部品（閉止体５１と収容体３１）に分けて配置すると、案内部である外周縁部６１Ｒ、６１Ｌと矯正部５５、５４との寸法誤差が大きくなる。
【００６３】
この点、本実施形態では、案内部である外周縁部６１Ｒ、６１Ｌと矯正部５５、５４の双方を閉止体５１に形成する構成としてあるので、案内部である外周縁部６１Ｒ、６１Ｌと矯正部５５、５４の寸法誤差を小さくすることが可能となる。そして、案内部である外周縁部６１Ｒ、６１Ｌと矯正部５５、５４の寸法誤差を小さくすることが出来れば、収容ボックス２００に対して電気接続箱１０の位置が出やすくなるので、円滑な挿入性とコネクタの嵌合性を確実に両立させることが可能となる。
【００６４】
そして、このものでは、案内溝２６１Ｒ、２６１Ｌの相手となる案内部は、閉止体５１の外周縁部６１Ｒ、６１Ｌを幅方向外側に延長して形成したものである。このような構成であれば、案内部をそれ専用に設ける必要がなく、閉止体５１、引いては電気接続箱１０の形状を簡素化出来るというメリットがある。
【００６５】
＜他の実施形態＞
本発明は上記記述及び図面によって説明した実施形態に限定されるものではなく、例えば次のような実施形態も本発明の技術的範囲に含まれる。
【００６６】
（１）上記実施形態では、矯正部の前面壁（当て面）を待ち受けコネクタの外面壁に当接させることによって、電気接続箱１０の倒れを矯正させる例を示したが、倒れを矯正できることができれば、矯正部の前面壁（当て面）をそれ以外の場所に当ててもよい。
【００６７】
（２）上記実施形態では、フード部１１５の内壁１１５ａと前面壁５５ａとの間に小段差ｄを設けたが、このような小段差ｄは必ずしも設ける必要はなく、内壁１１５ａと前面壁５５ａを面一にしてもよい。
【符号の説明】
【００６８】
１０…電気接続箱
２０…回路基板
３０…回路ケーシング
３１…収容体
３２…底壁
４１…周壁
４２…フランジ
５１…閉止体
５４、５５…矯正部
５４ａ、５５ａ…前面壁（当て面）
６１Ｒ、６１Ｌ…外周縁部（案内部）
１００…コネクタブロック
１１０〜１５０…コネクタ部
１１５〜１５５…フード部
２００…収容ボックス
２５０…収容室
２６１Ｒ、２６１Ｌ…案内溝
３１５…待ち受けコネクタ
３１５ａ…外面壁
３２５〜３４５…待ち受けコネクタ
３２５ａ…外面壁
【図１】
0005494251.tif 000002
【図２】
0005494251.tif 000003
【図３】
0005494251.tif 000004
【図４】
0005494251.tif 000005
【図５】
0005494251.tif 000006
【図６】
0005494251.tif 000007
【図７】
0005494251.tif 000008
【図８】
0005494251.tif 000009
【図９】
0005494251.tif 000010
【図１０】
0005494251.tif 000011
【図１１】
0005494251.tif 000012
【図１２】
0005494251.tif 000013
【図１３】
0005494251.tif 000014
【図１４】
0005494251.tif 000015
【図１５】
0005494251.tif 000016
【図１６】
0005494251.tif 000017
【図１７】
0005494251.tif 000018
【図１８】
0005494251.tif 000019
【図１９】
0005494251.tif 000020
【図２０】
0005494251.tif 000021